(57)【要約】【課題】電子バラストの多数のランプ構成のうちのいずれかのランプを電子バラストに再接続するのに応じて電子バラストに再起動を実行させる再起動回路を提供する。【解決手段】電子バラストは、ランプの監視されているフィラメントを介してバラストのコントローラに第１の電流を供給するフィラメント状態検査回路を含む。コントローラは、第１の電流の基準電流に対する判定された比率が監視されているフィラメントが切断または断線し（すなわち、第１の電流が実質的に減少し）、その後、交換されるか、または、バラストに再接続された（すなわち、第１の電流が所定のレベルまで回復した）ことを示すときに電子バラストを再起動する。バラストは、監視されたフィラメント以外のフィラメントをバラストに再接続するのに応じて過渡期間の間に第１の電流を減少させ、コントローラにバラストを再起動させるｄｖ／ｄｔ回路をさらに含む。【選択図】図１
2010278009.tif 000002
【特許請求の範囲】
【請求項１】
電源から交流電力を受け、直流（ＤＣ）電圧をＤＣ電圧バスに供給するように構成された整流器と、
ＤＣ電圧バスから電力を受け、スイッチング動作の実行中にＡＣ電力を供給するように構成されたインバータと、
第１の出力ペア、第２の出力ペア、および第３の出力ペアを備え、インバータによって供給されたＡＣ電力を受けるように構成された共振回路と、
第１の出力ペアの両端に接続されている第１のフィラメント、および、第２のフィラメントを有する第１のランプと、
第１のフィラメントと第２のフィラメントとを有し、第２のランプの第１のフィラメントが第２の出力ペアの両端に第１のランプの第２のフィラメントと直列に接続されており、第３の出力ペアの両端に第２のランプの第２のフィラメントが接続されている第２のランプと、
ランプの少なくとも１個のフィラメントを通るＤＣ電流に対応する第１の電流を監視し、基準電流に対応する第２の電流を監視するように構成され、第１の電流の第２の電流に対する比率を判定し、判定された比率の関数としてインバータのスイッチング動作を制御するようにさらに構成され、第１の電流の第２の電流に対する判定された比率が所定の比率未満であるときにインバータのスイッチング動作を阻止し、判定された比率が所定の比率より大きいときにインバータのスイッチング動作を駆動し、所定の比率より下から所定の比率より上まで遷移する比率に応じてバラストを再起動し、するコントローラと、
第２の出力ペアにおける急速電圧変化に応じて過渡期間の間に第１の電流を減少させるように構成されたｄｖ／ｄｔ回路と、
を備え、
共振回路への少なくとも１個のランプフィラメントの接続がｄｖ／ｄｔ回路に過渡期間の間に第１の電流を減少させ、その結果、判定された比率が過渡期間の間に所定の比率より下がる、光源。
【請求項２】
第２のランプの第２のフィラメントが第３の出力ペアに接続され、第２のフィラメントが導通しているときに、第１の電流をコントローラに供給するように構成されたフィラメント状態検査回路をさらに備える、請求項１に記載の光源。
【請求項３】
フィラメント状態検査回路がＤＣ電圧バスと第２のランプの第２のフィラメントの第１の端子との間に接続された抵抗を備え、第２のランプの第２のフィラメントの第２の端子がコントローラの第１の電流入力に接続されている、請求項２に記載の光源。
【請求項４】
コントローラが第１の電流に応じてインバータを起動するように、第１の電流がコントローラのための動作電流および電圧を供給する、請求項３に記載の光源。
【請求項５】
ｄｖ／ｄｔ回路が、
第２のランプの第１のフィラメントの第２の端子が第１のランプの第２のフィラメントの第１の端子に接続され、第２のランプの第２のフィラメントの第１の端子と第２のランプの第１のフィラメントの第１の端子との間に接続されている第１の抵抗器と、
第１のランプの第２のフィラメントの第２の端子に接続されたハイ側および光源の接地に接続されたロー側を有する第２の抵抗器と、
入力側および出力側を有し、入力側が第２の抵抗器のハイ側に接続された第１のコンデンサと、
第１のコンデンサの出力側と光源の接地との間に接続された第３の抵抗器と、
第３の抵抗器と並列に接続された第２のコンデンサと、
第１のコンデンサの出力側に接続された入力、光源の接地に接続されたロー側、およびコントローラの第１の電流入力に接続されたハイ側を有するスイッチと、
を備える、請求項３に記載の光源。
【請求項６】
第１のフィラメントおよび第２のフィラメントを有する第１のランプと第１のフィラメントおよび第２のフィラメントを有する第２のランプとに給電するバラストであって、
電源から交流電力を受け、直流（ＤＣ）電圧をＤＣ電圧バスに供給するように構成された整流器と、
ＤＣ電圧バスから電力を受け、スイッチング動作の実行中にＡＣ電力を供給するように構成されたインバータと、
第１のランプの第１のフィラメントの両端に接続する第１の出力ペア、第１のランプの第２のフィラメントが第２のランプの第１のフィラメントと直列している、第１のランプの第２のフィラメントと第２のランプの第１のフィラメントとを挟んで接続する第２の出力ペア、および第２のランプの第２のフィラメントの両端に接続する第３の出力ペアを備え、インバータによって供給されたＡＣ電力を受けるように構成された共振回路と、
ランプの少なくとも１個のフィラメントを通るＤＣ電流である第１の電流および基準電流である第２の電流を監視するように構成され、第１の電流の第２の電流に対する比率を判定し、判定された比率の関数としてインバータのスイッチング動作を制御するようにさらに構成され、第１の電流の第２の電流に対する判定された比率が所定の比率以下であるときにインバータのスイッチング動作を阻止し、判定された比率が所定の比率より大きいときにインバータのスイッチング動作を駆動し、所定の比率より下から所定の比率より上まで遷移する比率に応じてバラストを再起動するコントローラと、
第２の出力ペアにおける急速電圧変化に応じて過渡期間の間に第１の電流を減少させるように構成されたｄｖ／ｄｔ回路と、
を備え、
共振回路への少なくとも１個のランプフィラメントの接続がｄｖ／ｄｔ回路に過渡期間の間に第１の電流を減少させ、その結果、判定された比率が過渡期間の間に所定の比率より下がる、バラスト。
【請求項７】
第２のランプの第２のフィラメントが第３の出力ペアに接続され、第２のフィラメントが導通しているときに、第１の電流をコントローラに供給するように構成されたフィラメント状態検査回路をさらに備える、請求項６に記載のバラスト。
【請求項８】
フィラメント状態検査回路がＤＣ電圧バスと第３の出力ペアの第１の端子との間に接続された抵抗を備え、第３の出力ペアの第２の端子がコントローラの第１の電流入力に接続されている、請求項７に記載のバラスト。
【請求項９】
コントローラが第１の電流に応じてインバータを起動するように、第１の電流がコントローラのための動作電流および電圧を供給する、請求項８に記載のバラスト。
【請求項１０】
ｄｖ／ｄｔ回路が、
第３の出力ペアの第１の端子と第２の出力ペアの第２の端子の間に接続されており、第１のランプおよび第２のランプがバラストに接続されているとき、第２の出力ペアの第１の端子が第１のランプの第２のフィラメントおよび第２のランプの第１のフィラメントを介して第２の出力ペアの第２の端子に接続された第１の抵抗器と、
第２の出力ペアの第２の端子に接続されたハイ側およびバラストの接地に接続されたロー側を有する第２の抵抗器と、
第２の抵抗器のハイ側に接続された入力側、および出力側を有する第１のコンデンサと、
第１のコンデンサの出力側とバラストの接地との間に接続された第３の抵抗器と、
第３の抵抗器と並列に接続された第２のコンデンサと、
第１のコンデンサの出力側に接続された入力、バラストの接地に接続されたロー側、およびコントローラの第１の電流入力に接続されたハイ側を有するスイッチと、
を備える、請求項８に記載のバラスト。
【請求項１１】
第１のフィラメントおよび第２のフィラメントをそれぞれが有する第１のランプおよび第２のランプのいずれかのランプの交換に応じて、第１のランプおよび第２のランプに給電するバラストを再起動する方法であって、
ランプの少なくとも１個のフィラメントを通る直流（ＤＣ）である第１の電流、および基準電流である第２の電流を監視するステップと、
第１の電流の第２の電流に対する比率を判定するステップと、
判定された比率が所定の比率以下であるときにインバータのスイッチング動作を阻止するステップ、および判定された比率が所定の比率より大きいときにインバータのスイッチング動作を駆動するステップを含み、判定された電流比率の関数として、バラストのコントローラによってバラストのインバータのスイッチング動作を制御するステップと、
判定された比率が第１の電流の減少に起因して過渡期間の間に所定の比率より下がるように、第１のランプの第２のフィラメントにおける急速電圧変化に応じて過渡期間の間に第１の電流を減少させるステップと、
所定の比率より下がり、その後、少なくとも所定の比率まで増加する判定された比率に応じてバラストを再起動するステップと、
を備える方法。
【請求項１２】
減少させるステップが、第１のランプの第２のフィラメントにおける急速な電圧の変化に応じて過渡期間の間に第１の電流を減少させ、急速な電圧の変化は、バラストの共振回路への少なくとも１個のランプフィラメントの接続によって起こり、判定された比率が第１の電流の減少のために過渡期間の間に所定の比率より下がるステップを備える、請求項１１に記載の方法。
【請求項１３】
電源から交流電力を受け、直流（ＤＣ）電力をＤＣバスに供給するステップと、
ＤＣバスからＤＣ電力を受け、それに応じて、バラストにインバータのスイッチング動作の間に交流電力を供給するステップと、
第１の出力ペア、第２の出力ペア、および第３の出力ペアを備え、第１の出力ペアの第１のフィラメントが第１の出力ペアの両端に接続され、第２のランプの第１のフィラメントが第２の出力ペアの両端に第１のランプの第２のフィラメントと直列に接続され、第２のランプの第２のフィラメントが第３の出力ペアの両端に接続されているバラストの共振回路で、インバータによって供給されたＡＣ電力を受けるステップと、
をさらに備え、
インバータのスイッチング動作を制御するステップとバラストを再起動するステップがバラストのコントローラによって実行され、
過渡期間の間に第１の電流を減少させるステップがバラストのｄｖ／ｄｔ回路によって実行される、請求項１２に記載の方法。
【請求項１４】
第２のランプの第２のフィラメントが第３の出力ペアに接続され、第２のフィラメントが導通しているときに第１の電流をコントローラに供給するステップをさらに備え、供給するステップがバラストのフィラメント状態検査回路によって実行される、請求項１３に記載の方法。
【請求項１５】
供給するステップが、第１の電流を用いて、コントローラのための動作電流および動作電圧を供給するステップを備え、コントローラが供給された第１の電流に応じてインバータを起動する、請求項１４に記載の方法。
【発明の詳細な説明】
【技術分野】
【０００１】
関連出願の相互参照
本願と同時に出願された、発明の名称が「Ｅｌｅｃｔｒｏｎｉｃ  Ｂａｌｌａｓｔ  Ｃｏｎｔｒｏｌ  Ｃｉｒｃｕｉｔ」である同一発明者および同一出願人による米国特許出願第１２／４７４，０４９号は参照によって全体が本明細書に組み込まれる。さらに、本願と同時に出願された、発明の名称が「Ｒｅｓｅｔｔｉｎｇ  Ａｎ  Ｅｌｅｃｔｒｏｎｉｃ  Ｂａｌｌａｓｔ  Ｉｎ  Ｔｈｅ  Ｅｖｅｎｔ  Ｏｆ  Ｆａｕｌｔ」である同一発明者および同一出願人による米国特許出願第１２／４７４，０８０号は参照によって全体が本明細書に組み込まれる。
【０００２】
本発明は、一般に、電力を１対のランプに供給する電子バラストに関する。より詳細には、発明は、いずれかのランプの交換に応じたバラストの再起動に関係がある。
【背景技術】
【０００３】
２台の蛍光灯に給電するバラストは、電力が家庭用電源スイッチ（すなわち、１２０Ｖ  ＡＣ）のような電源から受けられたとき、ランプを同時に起動する。バラストの起動は、故障状態を検査することと、故障のないことが発見された時に、バラストの共振回路を介してランプに電力を供給するためバラストのインバータのスイッチング動作を駆動することとを含む。ランプがバラストから外されるか、または、一方のランプに故障が起こるとき（たとえば、フィラメントが切れるか、または、非導通状態になるとき）、バラストはインバータがスイッチング動作を実行することを阻止する。すなわち、インバータは停止される。インバータは、電源からバラストへの電力が切断され、続いて再接続されるまで、または、２台のランプの監視されているフィラメントがバラストから外され、続いて再接続され、バラストの再起動（すなわち、再点灯）を引き起こすまで、停止されたままである。たとえば、ユーザが監視されているフィラメントを有するランプを取り外し交換する場合、バラストは、ランプがバラストに再接続されたとき（たとえば、バラストを格納する取り付け具に再挿入されたとき）、自動的に再起動する。ユーザが、これらを行わず、監視されていないフィラメントを有する他のランプを取り外し、交換する場合、バラストは、ランプが取り外されたときに停止し、ランプがバラストに再接続された後になっても停止したままである。ユーザは、バラストを再起動するため、監視されているフィラメントを有するランプを取り外し、交換しなければならないか、または、バラストへの電力のオンオフを繰り返さなければならない（すなわち、バラストへの電力をオフし、オンに戻さなければならない）。
【発明の概要】
【課題を解決するための手段】
【０００４】
発明の態様は、電子バラストと、バラストによって給電された第１のランプまたは第２のランプのどちらか一方をユーザが交換するのに応じてバラストを再起動（すなわち、再点灯）させる方法とを含む。バラストは、コントローラと、インバータと、共振回路と、フィラメント状態検査回路と、ｄｖ／ｄｔ（電圧変化率または電圧勾配）回路とを含む。コントローラは、第２のランプの第２のフィラメントを流れる電流を表す第１の電流を基準電流である第２の電流と比較する。第１の電流の第２の電流に対する判定された比率が所定の比率以下である場合、コントローラはインバータのスイッチング動作を阻止する。判定された比率が所定の比率より大きい場合、コントローラはインバータのスイッチング動作を駆動する。コントローラは、所定の比率未満から所定の比率以上まで変化する判定された比率に応じてバラストを再起動する。ｄｖ／ｄｔ回路は、第１のランプの第２のフィラメントを流れる電流の直流（ＤＣ）成分の乱れに応じて過渡期間の間に第１の電流を小さくし、第１のランプまたは第２のランプのどちらか一方がバラストに再接続されるときバラストに再点灯または再起動させる。判定された比率は第２の電流の第１の電流に対する比率でもよい。これに加えて、または、これに代えて、コントローラは、本発明の範囲から逸脱することなく、判定された比率が所定の比率より大きいならば、インバータのスイッチング動作を阻止してもよく、判定された比率が所定の比率未満であるならば、インバータのスイッチング動作を駆動してもよい。
【０００５】
他の目的および特徴は以下において部分的に明白となり、部分的に指摘されることになる。
【図面の簡単な説明】
【０００６】
【図１】図１は、発明の一実施形態によるランプに給電する電子バラストの部分的にブロック形式による概略図である。
【図２】図２は、発明の一実施形態による図１の電子バラストのコントローラの部分概略図である。
【図３Ａ】図３Ａは、発明の一実施形態による図１のバラストの概略図である。
【図３Ｂ】図３Ｂは、発明の一実施形態による図１のバラストの概略図である。
【図３Ｃ】図３Ｃは、発明の一実施形態による図１のバラストの概略図である。
【発明を実施するための形態】
【０００７】
図１を参照すると、電子バラスト１００は、交流（ＡＣ）電源１０２（たとえば、標準的な１２０Ｖの家庭用ＡＣ電源）からＡＣ電力を受ける。バラスト１００は、整流器１０４と、インバータ１１０と、共振回路１１２と、コントローラ１１４と、ｄｖ／ｄｔ（電圧変化率または電圧勾配）回路１１６と、フィラメント状態検査回路１６０と、種々の抵抗器、コンデンサ、および端子とを備える。整流器１０４は、ＡＣ電源１０２から受けたＡＣ電力を直流（ＤＣ）電力に変換する。様々なオプション部品が、整流器１０４のＤＣ電圧出力を調整および／または変更するため整流器１０４に接続されるか、または、整流器１０４の内部にあってもよい。オプション部品は、それらに限定されることなく、バスコンデンサ（図１において素子Ｃ１として示されている）、電圧レギュレータ（図示せず）、電圧リミッタ（図示せず）、力率補正回路（図示せず）、および、ＤＣ−ＤＣ変換器（図示せず）を含む。整流器１０４は、ＤＣ電圧をＤＣ電圧バス１０６とバラスト１００のための接地１０８とに出力する。ＤＣ電圧バス１０６と接地１０８との間に接続されたオプションのコンデンサＣ１は、ＤＣ電圧バス１０６を介して送られたＤＣ電圧を調整する。インバータ１１０はＤＣ電圧バス１０６および接地１０８に接続されている。コントローラ１１４によって制御されるとき、インバータ１１０は、ＡＣ出力を共振回路１１２に供給する。いくつかの実施形態では、インバータはハーフブリッジ・インバータでもよい。
【０００８】
定常状態動作中に、コントローラ１１４は、コントローラ１１４の一部であるパルス幅変調ユニット２１４を使用することによりインバータ１１０のスイッチング動作を駆動する。インバータ１１０のスイッチング動作を駆動するコントローラ１１４は、結果としてインバータ１１０が電力を共振回路１１２に供給するようにさせる。共振回路１１２が、今度は、第１のランプＬ１および第２のランプＬ２に給電するため、供給された電力を使用する。ランプＬ１、Ｌ２のそれぞれは、第１のフィラメントおよび第２のフィラメントを含み、各フィラメントが第１の端子および第２の端子を含む。共振回路は、第１の出力ペア１２１、第２の出力ペア１２２、および第３の出力ペア１２３を含む。いくつかの実施形態では、共振回路は、共振インダクタ（たとえば、図３に示されたインダクタＬ４−Ａ）と、共振コンデンサ（たとえば、図３に示されたコンデンサＣ１６）とを含むことがある。
【０００９】
共振回路１１４の出力ペアは以下の通りランプＬ１、Ｌ２に接続されている。第１の出力ペア１２１は第１のランプＬ１の第１のフィラメント１３０の両端に接続されている。すなわち、第１の出力ペア１２１は第１のランプＬ１の第１のフィラメント１３０の第１の端子１４４および第２の端子１４６に接続されている。第２の出力ペア１２２は、第１のランプＬ１の第２のフィラメント１３２の第２の端子１４２および第２のランプＬ２の第１のフィラメント１３４の第１の端子１５０に接続されている。バラスト１００は第１のランプＬ１の第２のフィラメント１３２の第１の端子１４８を第２のランプＬ２の第１のフィラメント１３４の第２の端子１５２にさらに接続する。第３の出力ペア１２３は第２のランプＬ２の第２のフィラメント１３６の両端に接続されている。すなわち、第３の出力ペア１２３は第２のランプの第２のフィラメント１３６の第１の端子１５６および第２のランプの第２のフィラメントの第２の端子１５４に接続されている。第１の出力ペア１２１、第２の出力ペア１２２、および第３の出力ペア１２３のそれぞれは、端子１４４、１４６、１４２、１４８、１５０、１５２、１５４、および１５６が出力ペアまたはフィラメントの端子として呼ばれるようにランプＬ１、Ｌ２の対応する第１または第２の端子に接続する第１の端子および第２の端子を有する。
【００１０】
コントローラ１１４は、第２のランプＬ２の第２のフィラメント１３６が電気的に導通していないと判定した場合にインバータ１１０のスイッチング動作を阻止する。たとえば、第２のランプＬ２は、断線し、完全でないことがあり、または、そうでなければ、第３の出力ペア１２３から切断されていることがある。フィラメント状態検査回路１６０は、第２のランプＬ２の第２のフィラメント１３６の故障を検出することを目的としている。フィラメント状態検査回路１６０は、抵抗器Ｒ２５を含む。フィラメント状態検査回路１６０は、第２のランプＬ２の第２のフィラメント１３６が第３の出力ペア１２３に接続されているとき、他のフィラメントが他の出力ペアに接続されているかどうかとは無関係に、第１の電流をコントローラ１１４に供給する。図１に示された電子バラスト１００では、フィラメント状態検査回路は、抵抗器Ｒ３１、Ｒ２１、およびＲ２３をさらに含む。抵抗器Ｒ２５は、ＤＣ電圧バス１０６と第３の出力ペア１２３の第１の端子１５６との間に接続されている。第３の出力ペア１２３の第２の端子１５４は、抵抗器Ｒ３１、Ｒ２１、およびＲ２３を介してコントローラ１１４の第１の電流入力部１６１に接続されている。よって、第１の電流は、ＤＣバスから第２のランプＬ２の第２のフィラメント１３６を通ってコントローラへのＤＣ電流を少なくとも部分的に表している。抵抗器Ｒ２９、Ｒ３３、およびＲ２２を備える抵抗網は、基準電流をコントローラ１１４の第２の電流入力部１６２へ供給する。よって、基準電流は、本明細書中で、第２の電流と交換可能な意味を表すことがある。コントローラ１１４は、第１の電流を第２の電流と比較し、第１の電流の第２の電流に対する比率を判定する。判定された比率が所定の比率以下である場合、コントローラ１１４はインバータ１１０のスイッチング動作を阻止する。すなわち、コントローラ１１４は、インバータ１１０が共振回路１１２とランプＬ１およびＬ２とに給電することを防止する。判定された比率が所定の比率より大きい場合、コントローラ１１４は電力を共振回路１１２とランプＬ１およびＬ２とに供給するためインバータ１１０のスイッチング動作を駆動する。いくつかの実施形態では、所定の比率は３／４でもよい。コントローラ１１４によって判定されるように、判定された比率が所定の比率より下から所定の比率まで遷移するとき、コントローラ１１４は、電子バラスト１００とランプＬ１およびＬ２とを故障に関して検査する。故障は、それらに限定されることなく、ランプ寿命の終了、完全でないフィラメント、および整流器効果を含むことがある。コントローラ１１４は、コントローラ１１４が故障を発見しない場合、電子バラスト１００を再起動する。
【００１１】
図２を参照すると、図１、２、および３Ｂのコントローラ１１４は第１の電流入力部１６１で第１の電流を受ける。第１のコントローラ・ダイオード２０６のアノードは第１の電流入力部１６１に接続され、第１のコントローラ・ダイオード２０６のカソードは第１のコントローラ抵抗器２０８の第１の側に接続されている。第１のコントローラ抵抗器２０８の第２の側はコントローラ１１４の動作電圧ノード２１６に接続されている。第２のコントローラ・ダイオード２０２のアノードは第２の電流入力部１６２に接続され、第２のコントローラ・ダイオード２０２のカソードは第２のコントローラ抵抗器２０４の第１の側に接続されている。第２のコントローラ抵抗器２０４の第２の側はコントローラ１１４の動作電圧ノード２１６に接続されている。いくつかの実施形態では、コンデンサ（図２に示されていない）は動作電圧ノード２１６と接地１０８との間に接続されることがある。コントローラは、第２のコントローラ・ダイオード２０２のカソードに接続された負入力と、第１のコントローラ・ダイオード２０６のカソードに接続された正入力とを有する比較器２１０をさらに含む。比較器２１０の出力はコントローラ１１４の論理回路２１２に接続されている。論理回路２１２は、インバータ１１０のスイッチング動作を阻止するか、または、駆動するかを判定する。論理回路２１２は、インバータ１１０のスイッチング動作を駆動または阻止するコントローラ１１４のパルス幅変調（ＰＷＭ）ユニット２１４にパラメータをロードする。ＰＷＭユニット２１４はロードされたパラメータの関数としてインバータを駆動する。第１および第２の電流がコントローラ１１４へ供給されるとき、動作電圧ノード２１６はコントローラ１１４のための動作電圧を発生し、コントローラはノードから動作電流を引き出し、電子バラスト１００の起動を可能にさせる。いくつかの実施形態では、コントローラは、ドイツ、Ｎｅｕｂｉｂｅｒｇ所在のインフィニオン  テクノロジーズ社（Ｉｎｆｉｎｅｏｎ  Ｔｅｃｈｎｏｌｏｇｉｅｓ，ＡＧ）から入手可能なＯＳ２３３１４１８またはＩＣＢ２ＦＬＯＳＲＡＭでもよい。コントローラ１１４は、ランプ寿命の終了、および、整流器効果などのような、しかしこれに限定されることのない他のランプ問題を判定するため第１の電流および第２の電流をさらに分析する。
【００１２】
再度図１を参照すると、ｄｖ／ｄｔ回路１１６は、第１のランプＬ１または第２のランプＬ２の交換に応じて過渡期間の間に第１の電流を低減する。ｄｖ／ｄｔ回路１１６は、第１の抵抗器Ｒ４４と、第２の抵抗器Ｒ４６と、第１のコンデンサＣ２８と、第３の抵抗器Ｒ４５と、第２のコンデンサＣ２７と、スイッチＱ５とを備える。第１の抵抗器Ｒ４４は、第３の出力ペア１２３の第１の端子１５６と第２の出力ペア１２２の第１の端子１５２との間に接続されている。第２の抵抗器Ｒ４６は、第２の出力ペア１２２の第２の端子１４２に接続されたハイ側と、接地１０８に接続されたロー側とを有する。第１のコンデンサＣ２８は第２の抵抗器Ｒ４６のハイ側に接続された入力側を有する。第１のコンデンサＣ２８の出力側は第３の抵抗器Ｒ４５のハイ側に接続され、第３の抵抗器Ｒ４５のロー側は接地１０８に接続されている。第２のコンデンサＣ２７は第３の抵抗器Ｒ４５と並列に接続されている。スイッチＱ５は、第１のコンデンサＣ２８の出力側に接続された入力と、接地１０８に接続されたロー側と、コントローラ１１４の第１の電流入力部１６１に接続されハイ側とを有する。図１に示された電子バラスト１００において、ｄｖ／ｄｔ回路１１６は、第３の抵抗器Ｒ４５と並列に接続された第２のコンデンサＣ２７と、アノードが接地１０８に接続された第３の抵抗器Ｒ４５と並列に接続された第１のダイオードＤ１２と、アノードが接地１０８に接続された第２の抵抗器Ｒ４６と並列に接続された第１のダイオードＤ１３と、第２の抵抗器Ｒ４６と並列に接続された第３のコンデンサＣ３３とをさらに含み、いくつかの実施形態では、オプション的に含むことがある。同様に、図１に示された電子バラスト１００では、第１のコンデンサＣ２８の入力側は、第４の抵抗器Ｒ４７を介して第２の出力ペア１２２の第１の端子１４２に接続され、スイッチＱ５のハイ側は第５の抵抗器Ｒ３４を介して第１の電流入力部１６１に接続されている。
【００１３】
動作中に、ｄｖ／ｄｔ回路１１６は、急速電圧変化に関して第１のランプＬ１の第２の端子１４２に接続された第２の出力ペア１２２の電圧を監視する。このような急速電圧変化は、時間に関する電圧変化がスレッショルドを超えるとき、スイッチＱ５を作動させる。スイッチが作動状態に留まる時間（すなわち、過渡期間）は、ｄｖ／ｄｔ回路１１６を形成する抵抗器およびコンデンサの値と、監視される電圧の時間変化率との関数である。図１に示された電子バラスト１００において、ｄｖ／ｄｔ回路は、第１のランプＬ１の第２のフィラメント１３２または第２のランプの第１のフィラメント１３４が、切断されていた期間の後に電子バラスト１００に再接続されたとき、スイッチＱ５を作動させる。スイッチＱ５の作動は、第１の電流を低下させ、第１の電流の第２の電流に対する判定された比率は、コントローラ１１４によって判定されるように、所定の比率より減少する。過渡期間が経過したとき、第１の電流は、スイッチＱ５の作動前とほぼ同じレベルに回復し、第１の電流の第２の電流に対する判定された比率は、コントローラ１１４によって判定されるように、今度は、所定の比率を満たすか、または、所定の比率を超える。コントローラ１１４は、これに応答して、インバータ１００のスイッチング動作を駆動することにより電子バラスト１００を再起動する。
【００１４】
図３Ａ、３Ｂおよび３Ｃは、図１に詳細に示された電子バラスト１００を含む光源と、ランプＬ１およびＬ２と、電源１０２との実施形態を詳細に示している。図３Ａ、３Ｂおよび３Ｃによって示された光源は、本発明の一実施形態による電子バラスト１００のインバータ１１０と、整流器１０４と、共振回路１１２と、様々な他の部品とを含む。
【００１５】
図３Ａにおいて、変圧器Ｔ１は、電源１０２によって供給されるＡＣライン電圧を増大し、増大された電圧を整流器１０４に供給する。ダイオードＤ１−Ｄ４を含む整流器１０４は、変圧器Ｔ２およびＴ３と、スイッチＱ１、Ｑ２、およびＱ２Ａとを含む（図３Ｂを参照のこと）力率補正回路３１０に整流電圧を供給する。
【００１６】
図３Ｂにおいて、インバータ１１０は、共振回路１１２に供給される整流され、反転された電圧を発生させるため、コントローラ１１４によって制御されるスイッチＱ３およびＱ４を含む。
【００１７】
図３Ｃにおいて、共振回路１１２が図示されている。共振回路１１２は共振回路１１２の共振周波数を決めるため図３Ｃに示された様々な他のインダクタおよびコンデンサと協働するインダクタＬ４−ＡおよびＣ１６を含んでいる。ｄｖ／ｄｔ回路１１６は、抵抗器Ｒ４５、Ｒ４６、およびＲ４７と、コンデンサＣ２７、Ｃ２８、およびＣ３５と、ダイオードＤ１２およびＤ１３と、スイッチＱ５とを含む。
【００１８】
本発明または（複数の）好ましい実施形態の要素を説明するとき、冠詞「ａ」、「ａｎ」、「ｔｈｅ」および「ｓａｉｄ」は１個以上の要素が存在することを意味するように意図されている。用語「備える（ｃｏｍｐｒｉｓｉｎｇ）」、「含む（ｉｎｃｌｕｄｉｎｇ）」および「有する（ｈａｖｉｎｇ）」は、包括的であり、列挙された要素以外の付加的な要素が存在してもよいことを意味するように意図されている。
【００１９】
以上の点を考慮すると、発明のいくつかの目的が達成され、他の有利な結果が得られることがわかるであろう。
【００２０】
発明の態様を詳細に説明したため、請求項に規定されているような発明の態様の範囲から逸脱することなく修正および変形が可能であることが明白となる。様々な変更が発明の範囲から逸脱することなく上記構成、製品および方法になされ得るので、上記説明に包含され、添付図面に図示されたすべての事項が例示として解釈され、限定的な意味で解釈されるべきでないことが意図されている。
【符号の説明】
【００２１】
Ｌ１  第１のランプ
Ｌ２  第２のランプ
１００  電子バラスト
１０２  交流（ＡＣ）電源
１０４  整流器
１０６  ＤＣ電圧バス
１０８  接地
１１０  インバータ
１１２  共振回路
１１４  コントローラ
１１６  ｄｖ／ｄｔ（電圧変化率または電圧勾配）回路
１２１  第１の出力ペア
１２２  第２の出力ペア
１２３  第３の出力ペア
１３０  第１のフィラメント
１３２  第２のフィラメント
１６０  フィラメント状態検査回路
１６１  第１の電流入力部
１６２  第２の電流入力部
２１４  パルス幅変調ユニット
【図１】
2010278009.tif 000003
【図２】
2010278009.tif 000004
【図３Ａ】
2010278009.tif 000005
【図３Ｂ】
2010278009.tif 000006
【図３Ｃ】
2010278009.tif 000007
【外国語明細書】
2010278009000001.pdf